(57)【要約】【課題】一般公衆電話回線に接続するべき電話機が誤ってビジネスホンのラインに接続されたとき、回線閉結スイッチが破壊するという問題の一例を解消する。【解決手段】回線閉結スイッチ保護装置は、一般公衆回線が接続されるべき回線端子（Ｔ１，Ｔ２）と負荷（６）との間に設けられ、閉成によって回線端子を介して負荷を一般公衆回線に接続する半導体素子（Ｑ１）からなる回線閉結スイッチ（４）を保護し、検出手段（７等）と制御手段（５）とを備える。検出手段（７等）は回線閉結スイッチ４の負荷側端の電圧が所定時間の間継続して所定値以上にあることを検出し、制御手段（５）は検出手段による検出により閉成状態にある回線閉結スイッチ４を開成する。【選択図】図４
2006014134.tif 000002
【特許請求の範囲】
【請求項１】
一般公衆回線が接続されるべき回線端子と負荷との間に設けられ、閉成によって前記負荷を前記回線端子を介して前記一般公衆回線に接続する半導体素子からなる回線閉結スイッチを保護する回線閉結スイッチ保護装置であって、
前記回線閉結スイッチの前記負荷側端の電圧が所定時間の間継続して所定値以上にあることを検出する検出手段と、
該検出手段による検出により閉成状態にある前記回線閉結スイッチを開成する制御手段と
を備えることを特徴とする回線閉結スイッチ保護装置。
【請求項２】
前記検出手段は、前記負荷側端の電圧が前記所定値以上になっていることを検出して検出信号を発生する電圧検出手段と、該電圧検出手段が発生する前記検出信号を監視し、該検出信号が前記所定時間の間継続して発生されていることを検出する継続時間検出手段とを有し、
該継続時間検出手段による検出により前記回線閉結スイッチの前記負荷側端の電圧が所定時間の間継続して所定値以上にあることを検出する
ことを特徴とする請求項１記載の回線閉結スイッチ保護装置。
【請求項３】
前記所定値は前記回線閉結スイッチの前記負荷側端に接続されたサージ吸収素子に対して設定したサージ吸収電圧の値以下であり、前記所定時間はサージ電圧の持続時間より長い時間であって、かつ、当該所定時間の間継続して当該所定値以上にある電圧が前記負荷側端にかかっている状態で電流が流れ続けることにより、前記回線閉結スイッチが損傷を受けることのないようにそれぞれ設定される
ことを特徴とする請求項１又は２に記載の回線閉結スイッチ保護装置。
【請求項４】
一般公衆回線が接続されるべき回線端子と負荷との間に設けられ、閉成によって前記負荷を前記回線端子を介して前記一般公衆回線に接続する半導体素子からなる回線閉結スイッチを保護する回線閉結スイッチ保護装置であって、
前記回線閉結スイッチを通じて流れる電流が所定時間の間継続して所定値以上にあることを検出する検出手段と、
該検出手段による検出により閉成状態にある前記回線閉結スイッチを開成する制御手段と
を備えることを特徴とする回線閉結スイッチ保護装置。
【請求項５】
前記検出手段は、回線電流に応じた大きさの電気量に基づいて前記回線閉結スイッチを通じて流れる電流が所定時間の間継続して所定値以上にあることを検出する
ことを特徴とする請求項４記載の回線閉結スイッチ保護装置。
【請求項６】
前記所定値は前記回線端子に一般公衆回線が接続されたとき前記回線閉結スイッチに流れる最大電流の値以上であり、前記所定時間はサージ電圧の持続時間より長い時間であって、かつ、当該所定時間の間継続して当該所定値以上にある電流が前記回線閉結スイッチに流れ続けることにより、前記回線閉結スイッチが損傷を受けることのないようにそれぞれ設定される
ことを特徴とする請求項４又は５に記載の回線閉結スイッチ保護装置。
【請求項７】
前記制御手段は、ハンドセットのオフフック及びオンフックに応じて前記回線閉結スイッチを閉成及び開成する
ことを特徴とする請求項１〜６のいずれかに記載の回線閉結スイッチ保護装置。
【請求項８】
一般公衆回線が接続されるべき回線端子と、通話回路を有する負荷と、閉成及び開成によって前記通話回路を前記回線端子を介して前記一般公衆回線に接離する半導体素子からなる回線閉結スイッチと、前記回線閉結スイッチの負荷側端に接続されたサージ吸収素子とを備える電話機において、
請求項１〜８のいずれかに記載の回線閉結スイッチ保護装置
を備えることを特徴とする電話機。
【発明の詳細な説明】
【技術分野】
【０００１】
本発明は回線閉結スイッチを保護する回線閉結スイッチ保護装置及び回線閉結スイッチ保護装置を備える電話機に関するものである。
【背景技術】
【０００２】
一般公衆回線と接続されるべき電話機（以下、電話機と略記する。）は、一般に、例えば落雷や隣接する送電線における変動によって生じた一般公衆回線上の異常な過渡高電圧サージによる破壊から一般公衆回線に接続されている回路素子、例えば、ＰＮＰトランジスタからなる回線閉結スイッチを保護するための手段を備えた図１に示すような電話機回路１０を有する（例えば、特許文献１参照）。図１において、Ｔ１及びＴ２は一般公衆回線Ｌ１及びＬ２に接続するための回線端子、１は整流器、２及び３は第１及び第２のサージ吸収素子、４は回線閉結スイッチ、５は図示しないフックスイッチの状態を検知して回線閉結スイッチ４を開成及び閉成する制御回路、６は通話回路である。回線閉結スイッチ４は、図２に示すように、ＰＮＰトランジスタＱ１によって構成される。
【０００３】
制御回路５は、通話のためハンドセット（送受話器）が持ち上げられてオフフックされフックスイッチがオンされると、トランジスタＱ１のベース電流を流してトランジスタＱ１をオン状態として通話回路６を回線閉結スイッチ４を介して一般公衆回線Ｌ１及びＬ２に接続させる。通話回路６が一般公衆回線Ｌ１及びＬ２に接続された状態において、回線端子Ｔ１及びＴ２間に大きなサージが印加されると、第１のサージ吸収素子２が導通して回線端子Ｔ１及びＴ２間を結ぶ回路を形成して、トランジスタＱ１にサージによる大きな電流が流れて破壊することを防いでトランジスタＱ１を保護する。この第１のサージ吸収素子２の導通によってサージは減圧されながらも、大きな電圧が整流器１を通り、トランジスタＱ１を抜ける。そこで、この大きな電圧から後段の通話回路６を保護するため、例えばツェナーダイオードからなる第２のサージ吸収素子３を通り、回線端子Ｔ２に戻るループの回路を形成し、通話回路６にツェナー電圧以上の電圧が印加されないうようになっている。
【０００４】
上述した構成の電話機回路１０は、図１に示すように、回線端子Ｔ１及びＴ２を一般公衆回線Ｌ１及びＬ２にそれぞれ接続することによって局側交換機２０に接続されることにより、局側交換機２０の電圧源２０ａから、２２０オームの抵抗Ｒを介して一般公衆回線Ｌ１及びＬ２に印加されている４８Ｖの正負の直流電圧が供給される。
【０００５】
この構成によって、回線端子Ｔ１及びＴ２が一般公衆回線Ｌ１及びＬ２に接続されている状態で、回線端子Ｔ１及びＴ２間が短絡した場合、たとえ一般公衆回線Ｌ１及びＬ２の回線ロスが０であったとしても、局側交換機２０内の抵抗Ｒによって、回線電流は１０９ｍＡ（＝４８／４４０）となるようになっている。給電のバラツキによって、電圧源２０ａからの供給電圧は最大５３Ｖになる場合もあるが、この場合でも、回線電流の最大値は１２０ｍＡ（＝５３／４４０）にしかならない。また、この回線電流１２０ｍＡが流れた場合、この電流の流れによって、回線端子Ｔ１及びＴ２間の電圧は大きく低下するので、一般に１Ｗ程度とされる回線閉結スイッチを構成するトランジスタＱ１の電力容量（ＰＣ）をオーバーすることはない。
【特許文献１】特公平５−６９３１号公報
【発明の開示】
【発明が解決しようとする課題】
【０００６】
最近、情報通信機器の発達によって、一般公衆回線に直接接続されないビジネスホンやボタン電話と呼ばれる電話機が広く普及してきている。これらの電話機は、複数の局線を収容し、複数の内線端末が接続できるようになっているが、端末は全て専用機となっている。最近の多くのものは、２線によって電源供給と信号伝送を兼ねた２線接続となっており、デジタル化されている。このため、外見上は、一般公衆電話回線に接続されるべき電話機と区別し難い構成となっている。このため、一般公衆電話回線に接続されるべき電話機がビジネスホンの端末として誤って接続される可能性が想定される。
【０００７】
しかし、このような誤り接続が行われたときに生じる可能性のある問題点まで想定し、この問題点に対する対策を講じた電話機について提案されたものはない。
【０００８】
ところで、上述したような誤り接続が行われると、一般公衆電話回線に接続されるべき電話機の回線端子Ｔ１及びＴ２に、図３に示すようなビジネスホンの電源３０ａから電源供給が行われるようになる。ビジネスホンの電源３０ａは、局側交換機２０の電圧源２０ａと同様に４８Ｖの正負の直流電圧を定電圧供給するが、その内部抵抗Ｒｉが数十オーム程度しかないため、局側交換機の電圧源に比べてかなり大きな供給能力のあるものとなっている。
【０００９】
このため、誤り接続された状態で、トランジスタＱ１がオンすると、電源３０ａから供給される電圧がほとんどロス無く回線端子Ｔ１及びＴ２に印加されることになる。今、トランジスタＱ１のエミッタ側に４０Ｖ程度の電圧がかかるとすると、コレクタ側は第２のサージ吸収素子３としてのツェナーダイオードによって１２Ｖとなって、トランジスタＱ１のエミッタコレクタ間に２８Ｖの電圧が印加されるようになる。このため、１００ｍＡ程度の電流が流れてもトランジスタＱ１の電力容量をオーバーしてしまい、トランジスタＱ１が発煙する程に発熱して破壊するに至り、それ以降トランジスタＱ１は回線を閉結できなくなる。実験的に、回線端子Ｔ１及びＴ２間に４６Ｖが印加し、３００ｍＡ程度の電流を流してみると、数分程度で回線閉結スイッチ４を構成しているトランジスタＱ１が破壊することが確認されている。
【００１０】
よって、本発明が解決しようとする課題としては、上述したように、一般公衆電話回線に接続するべき電話機が誤ってビジネスホンのラインに接続されたとき、回線閉結スイッチが破壊するという問題が一例として挙げられる。
【課題を解決するための手段】
【００１１】
請求項１に記載した本発明に係る回線閉結スイッチ保護装置は、一般公衆回線が接続されるべき回線端子と負荷との間に設けられ、閉成によって前記負荷を前記回線端子を介して前記一般公衆回線に接続する半導体素子からなる回線閉結スイッチを保護する回線閉結スイッチ保護装置であって、前記回線閉結スイッチの前記負荷側端の電圧が所定時間の間継続して所定値以上にあることを検出する検出手段と、該検出手段による検出により閉成状態にある前記回線閉結スイッチを開成する制御手段とを備えることを特徴とする。
【００１２】
請求項４に記載した本発明に係る回線閉結スイッチ保護装置は、一般公衆回線が接続されるべき回線端子と負荷との間に設けられ、閉成によって前記負荷を前記回線端子を介して前記一般公衆回線に接続する半導体素子からなる回線閉結スイッチを保護する回線閉結スイッチ保護装置であって、前記回線閉結スイッチを通じて流れる電流が所定時間の間継続して所定値以上にあることを検出する検出手段と、該検出手段による検出により閉成状態にある前記回線閉結スイッチを開成する制御手段とを備えることを特徴とする。
【発明を実施するための最良の形態】
【００１３】
以下、一般公衆電話回線に接続されるべき電話機に組み込んだ本発明による回線閉結スイッチ保護装置の実施の形態を図４乃至図６を参照して説明する。
【００１４】
図４は本発明による回線閉結スイッチ保護装置の一実施の形態を示す回路図である。同図においては、図1〜図３に示した部分に対応するものには同一の符号を付している。図４において、Ｔ１及びＴ２は電話機を一般公衆回線に接続するための回線端子、１は整流器、２及び３は第１及び第２のサージ吸収素子、４はＰＮＰトランジスタＱ１により構成された回線閉結スイッチ、５はフックスイッチの状態を検知して回線閉結スイッチ４を閉成及び開成する制御信号を出力する制御回路、６は通話回路、７は回線閉結スイッチ４の通話回路側端の電圧が所定値以上になっていることを検出して検出信号を出力する電圧検出回路、８は通話のためハンドセット（送受話器）が持ち上げられてオフフックされてオンし、ハンドセットが置かれることでオンフックされてオフするフックスイッチである。なお、通話回路６には、図示を省略しているハンドセットに内蔵されたマイクロホン及びスピーカが接続される。
【００１５】
本実施の形態では、制御回路５は、マイクロコンピュータ（以下マイコンと略記する。）５ａと、回線閉結スイッチ４をオンオフ駆動するＮＰＮトランジスタなどによって構成されたドライバ５ｂとを有する。マイコン５ａは中央処理ユニット（ＣＰＵ）、ＲＡＭ及びＲＯＭを有し、ＲＯＭに格納されている制御プログラムによりＲＡＭの記憶エリアを利用して後述する図５のフローチャートに示す処理をＣＰＵが実行し、入力ポートＩ１に入力される電圧検出回路７からの検出信号を監視するとともに、入力ポートＩ２に接続されたフックスイッチ８のオンオフ状態を監視して回線閉結スイッチ４を閉成及び開成する制御信号を出力ポートＯに出力する。
【００１６】
ドライバ５ｂは、コレクタが抵抗Ｒ１を介して回線閉結スイッチ４を構成するＰＮＰトランジスタＱ１のベースに、エミッタがアースに、ベースが抵抗Ｒ２及びＲ３をそれぞれ介してマイコン５ａの出力ポートＯとアースとに接続されたＮＰＮトランジスタＱ２から構成されている。トランジスタＱ２は、マイコン５ａが出力ポートＯにＬレベルの制御信号を出力しているときオフしているが、Ｈレベルの制御信号を出力することによってオンする。トランジスタＱ２がオンすると、回線閉結スイッチ４の回線端子側端から抵抗Ｒ４及びＲ１並びにトランジスタＱ２を通じてアースに電流が流れる。このことによって、トランジスタＱ１はオンバイアスされてそのベースに電流が流れてオンし、回線閉結スイッチ４が閉成される。閉成状態にある回線閉結スイッチ４は、出力ポートＯに出力されている制御信号がＬレベルになり、ドライバ５ｂのトランジスタＱ２がオフすることによって開成される。
【００１７】
電圧検出回路７は、回線閉結スイッチ４の通話回路６側端とアース間に直列に接続された抵抗Ｒ５及びＲ６の相互接続点Ｐ１の電圧がオンバイアス以上になったときにオンするＮＰＮトランジスタＱ３を有する。トランジスタＱ３はベースが上記相互接続点Ｐ１に、コレクタが電流制限のための抵抗Ｒ７を介して電圧源に、エミッタがアースにそれぞれ接続されている。電圧検出回路７は、コレクタと抵抗Ｒ７との相互接続点Ｐ２を出力とし、回線閉結スイッチ４の通話回路側端の電圧が、第２のサージ吸収素子３を構成しているツェナーダイオードのツェナー電圧よりも小さな１０〜１２Ｖの所定値以上になったことを検出すると、トランジスタＱ３がオンして、オフ状態においてＨレベルになっている相互接続点Ｐ２がＬレベルになることによって検出信号を出力する。すなわち、電圧検出回路７は、回線閉結スイッチ４の通話回路側端である負荷側端の電圧が上記所定値以上になっていることを検出して検出信号を発生する。電圧検出回路７が出力する検出信号は制御回路５内のマイコン５ａの入力ポートＩ１に印加される。
【００１８】
なお、抵抗Ｒ５及びＲ６は、第２のサージ吸収素子３を構成しているツェナーダイオードのツェナー電圧が１２Ｖである場合、回線閉結スイッチ４の通話回路６側端の電圧が上記所定値以上になったときに、この電圧を抵抗トランジスタＱ３がオンバイアスされるような値に設定され、例えば４７０ｋΩ及び２２ｋΩの値のものがそれぞれ使用される。
【００１９】
上述した回線閉結スイッチ保護装置の動作を、ＲＯＭに格納した制御プログラムによりＲＡＭの記憶エリアを利用してマイコン５ａのＣＰＵが行う処理を示す図５のフローチャートを参照して以下説明する。
【００２０】
マイコン５ａのＣＰＵは、電源の投入によって動作を開始して初期化処理を行い、ここで、その後の処理において使用するフラグなどを初期状態にする。その後、ハンドセットが置かれたオンフックにおいてオフ状態にあるフックスイッチ８が接続されている入力ポートＩ２を監視し、入力ポートＩ２がＬレベルであるかどうかを判断する（ステップＳ１）。通話のためハンドセット（送受話器）が持ち上げられフックスイッチ８がオフフックのオン状態になることで入力ポートＩ２がアースされ入力ポートＩ２がＬレベルになっていると（ステップＳ１がＹのとき）、フックスイッチ８がオン状態にあることを検出する。
【００２１】
ＣＰＵはフックスイッチ８がオン状態にあることを検出すると、それ以前に出力ポートＯにＨレベルの制御信号を出力していないことを条件に（ステップＳ２がＮのとき）出力ポートＯから出力している制御信号をＬからＨレベルに変化させて（ステップＳ３）ドライバ５ｂのトランジスタＱ２をオンさせる。また、出力ポートＯをＬからＨレベルに変化させたことを示すためフラグＦ１を「１」にする（ステップＳ４）。なお、出力ポートＯにＨレベルの制御信号を既に出力しているときには（ステップＳ２がＹのとき）、出力ポートＯをＨレベルにする処理を行わずに、入力ポートＩ１のレベルによって、電圧検出回路７から検出信号が入力されているかどうかの監視を、入力ポートＩ１のレベルがＬレベルになっているかどうかにより行う（ステップＳ５）。
【００２２】
ＣＰＵが出力ポートＯにＨレベルの制御信号を出力する（ステップＳ３）ことによって、ドライバ５ｂのトランジスタＱ２がオンすると、回線閉結スイッチ４のトランジスタＱ１がオン駆動されて回線閉結スイッチ４が閉成する。回線閉結スイッチ４が閉成すると、通話回路６が回線閉結スイッチ４、回線端子Ｔ１及びＴ２を介して一般公衆回線に接続されて通話ができるようになる。
【００２３】
ＣＰＵは、出力ポートＯをＬからＨレベルにして回線閉結スイッチ４を閉結させた後、入力ポートＩ１のレベルにより電圧検出回路７からの検出信号の有無を監視し（ステップＳ５）、入力ポートＩ１がＬレベルであるとき（ステップＳ５がＹのとき）、電圧検出回路７から検出信号が入力されたことを検出し、それ以前に検出信号が検出されていないことを条件に（ステップＳ６がＮのとき）、その後所定時間継続して入力され続けていることを監視するため所定時間を計時するタイマーを起動する（ステップＳ７）。続いて、検出信号の入力が検出済みであることを示すためフラグＦ２を「１」にする（ステップＳ８）。フラグＦ２を「１」にした後、又は、検出信号が検出されてタイマーが既に起動されているときには（ステップＳ６がＹのとき）、検出信号が所定時間継続して入力されているかどうかの監視を、タイマーがタイムオーバしたかどうかにより行う（ステップＳ９）。
【００２４】
検出信号が所定時間継続して入力ポートＩ１に入力されているときには（ステップＳ９がＹのとき）、それまでＨレベルの制御信号を出力していた出力ポートＯからＬレベルの制御信号を出力して（ステップＳ１０）ドライバ５ｂのトランジスタＱ２をオフさせる。ドライバ５ｂのトランジスタＱ２がオフすると、それまで回線閉結スイッチ４のトランジスタＱ１がオン駆動されて閉成されていた回線閉結スイッチ４が開成する。このことによって、回線閉結スイッチ４には、所定時間を超えて所定値を超える異常電流が継続して流れることが防止され、異常電流が流れ続けることによって回線閉結スイッチ４が破損することから保護される。
【００２５】
勿論、回線閉結スイッチ４が開成すると、通話回路６が動作しなくなって通話ができなくなるので、ユーザは異常を知ることができるが、異常の原因までを知ることができない。そこで、出力ポートＯをＬレベルに変化させたことを示すためフラグＦ２を「０」にした（ステップＳ１１）後に、図示しないブザーの鳴動、インジケータの点灯或いは既存の表示装置への警告表示によって警報する警報処理を行い（ステップＳ１２）、電話機が本来接続すべき一般公衆回線以外に誤り接続されたことをユーザに知らせて一連の動作を終了する。
【００２６】
なお、入力ポートＩ２がＬレベルでないときには（ステップＳ１がＮのとき）、それ以前に入力ポートＩ２がＨレベルになかったことを条件に（ステップＳ１３がＮのとき）入力ポートＩ２の変化を監視し続ける（ステップＳ１及びステップＳ１３）。もし、それ以前にハンドセット（送受話器）が持ち上げられていた場合には（ステップＳ１３がＹのとき）、それまでＨレベルの制御信号を出力していた出力ポートＯからＬレベルの制御信号を出力させ（ステップＳ１４）ドライバ５ｂのトランジスタＱ２をオフさせ、閉成されていた回線閉結スイッチ４が開成する。回線閉結スイッチ４、回線端子Ｔ１及びＴ２を介して一般公衆回線に接続されていた通話回路６を開放する。その後は、出力ポートＯにＬレベルの制御信号を出力していることを示すためフラグＦ１を「０」にしてから（ステップＳ１５）ステップＳ１に戻って上述の動作を繰り返す。
【００２７】
また、入力ポートＩ１がＬレベルでないとき（ステップＳ５がＮのとき）、すなわち、電圧検出回路７からの検出信号が入力ポートＩ１に入力されていないときには、それ以前に入力ポートＩ１がＬレベルであったことを条件に（ステップＳ１６ＹがＹのとき）ステップＳ７でスタートしているタイマをリセットし、検出信号の入力が検出済みであることを示すため「１」としていたフラグＦ２を「０」にしてから（ステップＳ１８）ステップＳ１に戻って上述の動作を繰り返す。
【００２８】
以上要するに、ＣＰＵを有するマイコン５ａは、フックスイッチ８のオン・オフを監視することにより、フックスイッチ８がハンドセットのオフフックによってオンしたことを検出すると、ドライバ５ｂのトランジスタＱ２をオンし回線閉結スイッチ４のトランジスタＱ１をオン駆動して回線閉結スイッチ４を閉成させ、ハンドセットのオンフックによってオフしたことを検出すると、ドライバ５ｂのトランジスタをオフし回線閉結スイッチ４のトランジスタをオフ駆動して回線閉結スイッチ４を開成させる制御信号を出力する他、回線閉結スイッチ４を閉成させているとき、回線閉結スイッチ４の通話回路側端の電圧が所定値以上になっているとき電圧検出回路７が出力する検出信号の入力を監視し、検出信号が入力されたことを検出したとき、この検出信号が予め定めた所定時間の間継続しているかを監視し、検出信号が所定時間の間継続していることを検出する。
【００２９】
このことによって、マイコン５ａは、回線閉結スイッチ４の通話回路側端である負荷側端の電圧が所定値以上になっていることを検出して検出信号を発生する電圧検出回路７と共に、回線閉結スイッチの負荷側端の電圧が所定時間の間継続して所定値以上にあることを検出する検出手段として機能している。マイコン５ａはまた、ドライバ５ｂのトランジスタＱ２をオフし回線閉結スイッチ４のトランジスタをオフ駆動して閉成状態にある回線閉結スイッチ４を開成させる制御信号を出力し、このことによって、ドライバ５ｂと共に、検出手段による検出により閉成状態にある回線閉結スイッチを開成する制御手段として機能している。
【００３０】
したがって、一般公衆回線に接続されたとき通常現れない高い所定値以上の電圧が回線閉結スイッチ４の通話回路側端に現れ、しかも、その電圧がサージ電圧ではあり得ない時間持続していることを確認した上で、このような状況で回線閉結スイッチ４を構成するトランジスタＱ１が損傷を受けない時間以内にそれまで閉成していた回線閉結スイッチ４を開成することができるようになる。よって、本来一般公衆回線に接続されて使用されるべき電話機が、一般公衆回線以外の例えばビジネスホンの端末として誤って接続され、回線閉結スイッチ４が長時間にわたって閉成され続けたときに発生する回線閉結スイッチ４を構成するトランジスタＱ１の破損という事態を未然に防ぐことができる。また、ハンドセットを持ち上げた状態で回線閉結スイッチ４が開成した原因、すなわち、誤り接続を警報によって使用者に知らせることができるので、誤り接続状態の解消も適切に行われるようになっている。
【００３１】
なお、検出手段が回線閉結スイッチ４の負荷側端の電圧が所定時間の間継続して所定値以上にあることを検出する際の所定値は回線閉結スイッチの負荷側端に接続されたサージ吸収素子３に対して設定したサージ吸収電圧の値以下であり、所定時間はサージ電圧の持続時間より長い時間であって、かつ、当該所定時間の間継続して当該所定値以上にある電圧が前記負荷側端にかかっている状態で電流が流れ続けることにより、回線閉結スイッチ４が損傷を受けることのないようにそれぞれ設定される。サージ吸収素子３として１２Ｖのツェナーダイオードを使用している実施形態では、１０Ｖ〜１２Ｖに設定される。設定する所定時間としては、回線閉結スイッチ４のトランジスタＱ１がダメージを受けず、しかも通常の通話時間よりも短い例えば２乃至３秒が考えられる。
【００３２】
また、実施の形態では、回線閉結スイッチ４の負荷側端の電圧が所定時間の間継続して所定値以上にあることを検出する検出手段は、負荷側端の電圧が所定値以上になっていることを検出して検出信号を発生する抵抗Ｒ５，Ｒ６、トランジスタＱ３などによって構成されたディスクリート回路からなる電圧検出回路７と、電圧検出回路７が発生する検出信号を監視し、検出信号が所定時間の間継続して発生されていることを検出するプログラムによって動作するＣＰＵによって構成される継続時間検出手段とによって構成されているが、継続時間検出手段もディスクリート回路によって構成することも可能である。しかし、実施の形態のように、継続時間検出手段をプログラム動作するＣＰＵによって構成することによって、電圧検出回路７を構成する電子部品を追加するだけで、その他はプログラムの一部を修正するだけでよいので、僅かなコストで実現することができる。
【００３３】
図４及び図５を参照して説明した実施形態では、回線閉結スイッチの負荷側端の電圧が所定時間の間継続して所定値以上にあることを検出手段が検出し、この検出により制御手段が閉成状態にある回線閉結スイッチ４を開成するようにしているが、回線閉結スイッチを通じて流れる電流が所定時間の間継続して所定値以上にあることを検出し、この検出により閉成状態にある回線閉結スイッチを開成するようにすることもできる。
【００３４】
ここで、所定値は回線端子Ｔ１，Ｔ２に一般公衆回線が接続されたとき回線閉結スイッチ４に流れる最大電流の値以上であり、所定時間はサージ電圧の持続時間より長い時間であって、かつ、当該所定時間の間継続して当該所定値以上にある電流が回線閉結スイッチに流れ続けることにより、回線閉結スイッチ４が損傷を受けることのないようにそれぞれ設定される。
【００３５】
なお、回線閉結スイッチ４を通じて流れる電流の大きさを検出する手段としては、回線長（電話局からの距離）を特定し、自動的に送受話時の利得を調整する電話機が備える機能（オートパッド機能）において、回線長を特定するために回線閉結スイッチを通じて流れる電流の大きさを検出する電流検出手段を流用することができる。
【００３６】
具体的には、図６に示すように、オートパッド機能を実現するため、通話回路６や回線閉結スイッチ４を含む回路などを集積化したスピーチＩＣ１００内に電流検出回路１０１も一緒に形成し、この電流検出回路１０１によって検出された電流の大きさに応じた信号より通話回路６内の図示しない利得制御回路が調整されるものにおいて、この電流検出回路１０１に対し、電流検出範囲を大きい方に拡大する変更を加え、この電流検出回路１０１が検出して出力する電流の大きさに応じた信号をスピーチＩＣ１００外に出力させ、これをマイコン５ａが逐次取り込み監視することによって、回線閉結スイッチ４を通じて流れる電流が所定時間の間継続して所定値以上にあることを検出し、この検出により閉成状態にある回線閉結スイッチ４を開成する。なお、図中、９ａ及び９ｂはハンドセットに内蔵されているマイクロホン及びスピーカである。
【００３７】
この実施形態によれば、オートパッド機能のために設けられている電流検出回路１０１に検出範囲を拡大する手を加えて流用することによって、既存の構成を僅かに変更するだけでソフト処理によって本発明の実施が可能になり、コスト的に有利である。しかし、電流検出手段としては、回線閉結スイッチ４を通じて流れる電流の大きさに応じて変化する電圧などの電気量を検出するものであってもよい。
【００３８】
上述した実施の形態では、一般公衆電話回線に電話機を接続した後、ハンドセット（送受話器）が持ち上げられたときに、回線閉結スイッチ保護装置が誤り接続を検出する動作を行うようになっているが、電話機を一般公衆電話回線に接続したとき、マイコン５ａのＣＰＵがそのことを検出して誤り接続を判定するための処理を自動的に開始し、擬似的に回線閉結スイッチを一定時間閉成させ、このときの電圧を監視して誤り接続が行われたか否かを判定し、誤り接続が判定されたときには、誤り接続を警報する。一定時間経過後は、擬似的に閉成した回線閉結スイッチを開始して動作を終了する。
【００３９】
具体的には、図５のフローチャート中のフックスイッチ８に関係するステップＳ１〜ステップＳ４とステップＳ１３〜Ｓ１５の処理に代え、出力ポートＯをＬからＨレベルにする処理を行って擬似的に回線閉結スイッチを閉成させ、その後一定時間のタイマをスタートしてからステップＳ５に進む。一定時間が経過してもステップＳ５の判定がＹにならないときには、出力ポートＯをＨからＬレベルにし、擬似的な回線閉結スイッチの閉成動作を終了する。一定時間経過する前にステップＳ５の判定がＹになったときには、ステップＳ５〜Ｓ１２及びステップＳ１６〜Ｓ１８の処理によって上述したと同様に誤り接続を警報する。一定時間経過してもステップＳ５の判定がＹにならないときには、誤り接続がないとして、誤り接続を判定する処理をとばして、上記ステップＳ１〜ステップＳ４とステップＳ１３〜Ｓ１５の通常の電話機のオフフック処理を行うようにすればよい。
【００４０】
上述のように変更した場合、電話機を接続した直後に誤り接続を自動的に判定する動作を開始し、一般公衆電話回線に接続されていないときには、誤り接続を警報することができる。この場合、誤り接続を検出する電圧値としては、上述した実施形態と同様の値となりますが、時間としてはあえてサージの持続時間を持ち出す必要がなく、単に、正常接続ではあり得ない電圧を確実に検出することができれば足りることになる。電流によって誤り接続を検出する場合にも、擬似的な接続によって通話回路に電源供給されることによってオートパッド機能が働くようになって、上述した実施形態と同じようにして異常を検出することができる。
【００４１】
また、上述した実施の形態では、一般公衆電話回線に接続されるべき電話機として特に言及していないが、上述した回線閉結スイッチ保護装置は、コードレス子機を備えるコードレス親子電話機にも等しく適用することができる。
【図面の簡単な説明】
【００４２】
【図１】従来の回線閉結スイッチ保護装置の回路構成の一例を示すブロック図である。
【図２】図１中の一部分の具体的な構成を示す回路図である。
【図３】ビジネスホンの電源を簡略化して示す図である。
【図４】本発明に係る回線閉結スイッチ保護装置の一実施の形態を示すブロック回路図である。
【図５】図４中のＣＰＵが実行する処理のフローチャートを示す図である。
【図６】本発明に係る回線閉結スイッチ保護装置の他の実施の形態を示すブロック回路図である。
【符号の説明】
【００４３】
３          サージ吸収素子
４          回線閉結スイッチ
５          制御手段（制御回路）
６          負荷（通話回路）
７          電圧検出回路
Ｔ１、Ｔ２  回線端子
Ｌ１、Ｌ２  一般公衆回線
Ｑ１        半導体素子（ＰＮＰトランジスタ）
１０１      電流検出手段（電流検出回路）
【図１】
2006014134.tif 000003
【図２】
2006014134.tif 000004
【図３】
2006014134.tif 000005
【図４】
2006014134.tif 000006
【図５】
2006014134.tif 000007
【図６】
2006014134.tif 000008